(57)【要約】  取り付けブラケットアセンブリは、第１の取り付け可能なブラケット部品および第２の取り付け可能なブラケット部品、第１の締結部品、第２の締結部品、並びに第３の締結部品を含む取り付けブラケットを設けられる。それぞれの取り付け可能なブラケット部品は、上部メンバおよび上部メンバに角度を持って連結されている下部メンバを有する。第１のクランプは、第１の締結部品によって第１の取り付け可能なブラケット部品の上部メンバに取り付けられる。第２のクランプは、第２の締結部品によって第２の取り付け可能なブラケット部品の上部メンバに取り付けられる。第３の締結部品は、第１の取り付け可能なブラケット部品の下部メンバを、第２の取り付け可能なブラケット部品の下部メンバに固定する。取り付けブラケットは、上部メンバと下部メンバとの間にビーム挿入開口部を形成している。取り付けブラケットアセンブリは、第１の取り付け可能なブラケット部品の上部メンバに隣接して、または第２の取り付け可能なブラケット部品の上部メンバに隣接して配置された第１の一体接地装置を含んでもよい。第１の一体接地装置は、発電装置のフレームを取り付けブラケットアセンブリに電気的に接続するように構成される。取り付けブラケットアセンブリはさらに、トルクチューブを取り付けブラケットアセンブリに電気的に接続するように構成された第２の一体接地装置を含んでもよい。
2019513204.tif 000002
【特許請求の範囲】
【請求項１】
取り付けブラケットアセンブリであって、
第１の取り付け可能なブラケット部品および第２の取り付け可能なブラケット部品を含む取り付けブラケットであって、前記それぞれの取り付け可能なブラケット部品は、上部メンバおよび前記上部メンバに連結されている下部メンバを有し、前記取り付けブラケットは、前記上部メンバと前記下部メンバとの間にビーム挿入開口部を形成している、取り付けブラケットと、
第１の締結部品によって前記第１の取り付け可能なブラケット部品の前記上部メンバに取り付けられている、第１のクランプと、
第２の締結部品によって前記第２の取り付け可能なブラケット部品の前記上部メンバに取り付けられている、第２のクランプと、
前記第１の取り付け可能なブラケット部品の前記下部メンバを、前記第２の取り付け可能なブラケット部品の前記下部メンバに固定する、第３の締結部品とを備える、
取り付けブラケットアセンブリ。
【請求項２】
前記第１の取り付け可能なブラケット部品の前記上部メンバに隣接して、または前記第２の取り付け可能なブラケット部品の前記上部メンバに隣接して配置されている第１の一体接地装置をさらに備え、前記第１の一体接地装置は発電装置のフレームを前記取り付けブラケットアセンブリに電気的に接続するように構成されている、請求項１に記載の取り付けブラケットアセンブリ。
【請求項３】
前記第１の一体接地装置は、前記第１の取り付け可能なブラケット部品の前記上部メンバの端部、または前記第２の取り付け可能なブラケット部品の前記上部メンバの端部に取り付けられる接地片である、請求項２に記載の取り付けブラケットアセンブリ。
【請求項４】
前記第１の締結部品または前記第２の締結部品は、クランプナットを回転すると、前記第１の取り付け可能なブラケット部品または前記第２の取り付け可能なブラケット部品の前記上部メンバの前記端部を押し込み、それによって前記接地片を押し込み、前記発電装置を電気的に接地するような前記クランプナットを含む、請求項３に記載の取り付けブラケットアセンブリ。
【請求項５】
前記取り付けブラケットは、耐食処理されている、請求項２に記載の取り付けブラケットアセンブリ。
【請求項６】
前記取り付けブラケットは、陽極酸化処理されている、請求項５に記載の取り付けブラケットアセンブリ。
【請求項７】
前記取り付けブラケットに配置された、少なくとも第２の一体接地装置をさらに備える、請求項５に記載の取り付けブラケットアセンブリ。
【請求項８】
前記取り付けブラケットに配置された第３の一体接地装置をさらに備え、前記第３の一体接地装置は前記取り付けブラケットアセンブリをトーションビームに電気的に接続するように構成されている、請求項７に記載の取り付けブラケットアセンブリ。
【請求項９】
前記第１の一体接地装置は、両面である、請求項６に記載の取り付けブラケットアセンブリ。
【請求項１０】
前記ビーム挿入開口部は、八角形の形状を有する、請求項１に記載の取り付けブラケットアセンブリ。
【請求項１１】
取り付けアセンブリであって、
少なくとも一つの支持柱と、
前記支持柱に連結されているトーションビームと、
前記トーションビームに取り付けられている、取り付けラックと、
前記取り付けラックを前記トーションビームに取り付けている取り付けブラケットアセンブリであって、
第１の取り付け可能なブラケット部品および第２の取り付け可能なブラケット部品を含む取り付けブラケットであって、前記それぞれの取り付け可能なブラケット部品は、上部メンバおよび前記上部メンバに連結されている下部メンバを有し、前記取り付けブラケットは、前記上部メンバと前記下部メンバとの間にビーム挿入開口部を形成し、前記トーションビームは、前記ビーム挿入開口部に挿入される、取り付けブラケットを含む、
取り付けブラケットアセンブリと、
第１の締結部品によって、前記第１の取り付け可能なブラケット部品の前記上部メンバに取り付けられている、第１のクランプと、
第２の締結部品によって、前記第２の取り付け可能なブラケット部品の前記上部メンバに取り付けられている、第２のクランプと、
前記第１の取り付け可能なブラケット部品の前記下部メンバを、前記第２の取り付け可能なブラケット部品の前記下部メンバに固定している、第３の締結部品とを備える、
取り付けアセンブリ。
【請求項１２】
前記第１の取り付け可能なブラケット部品の前記上部メンバの端部、または前記第２の取り付け可能なブラケット部品の前記上部メンバの端部に取り付けられた接地片をさらに備え、前記接地片は、発電装置のフレームを前記取り付けブラケットアセンブリに電気的に接続するように構成されている、請求項１１に記載の取り付けアセンブリ。
【請求項１３】
前記第１の締結部品または前記第２の締結部品は、クランプナットを回転すると、前記第１の取り付け可能なブラケット部品または前記第２の取り付け可能なブラケット部品の前記上部メンバの前記端部を押し込み、それによって前記接地片を押し込み、前記発電装置を電気的に接地するような前記クランプナットを含む、請求項１２に記載の取り付けアセンブリ。
【請求項１４】
前記発電装置は、太陽光発電モジュールである、請求項１２に記載の取り付けアセンブリ。
【請求項１５】
前記トーションビームは、八角形の断面を有し、前記ビーム挿入開口部は、対応する八角形の形状を有する、請求項１１に記載の取り付けアセンブリ。
【請求項１６】
前記第１のクランプと前記第２のクランプのそれぞれは、前記それぞれのクランプが形成された合わせ角度で各上部メンバと一致するような、前記上部メンバの角度を持った端に対応する角度を持った合わせ面を有する、請求項１１に記載の取り付けアセンブリ。
【請求項１７】
各上部メンバに関する前記第１のクランプまたは前記第２のクランプの前記形成された合わせ角度を変化させると、発電装置での前記取り付けブラケットアセンブリのグリップ力を変化させる、請求項１６に記載の取り付けアセンブリ。
【請求項１８】
各上部メンバに関する前記第１のクランプまたは前記第２のクランプの前記形成された合わせ角度を変化させると、発電装置での前記取り付けブラケットアセンブリのクランプ力を変化させる、請求項１６に記載の取り付けアセンブリ。
【請求項１９】
取り付けブラケットアセンブリであって、
少なくとも一つの上部メンバおよび前記上部メンバに連結されている下部メンバを含む取り付けブラケットであって、前記上部メンバと前記下部メンバとの間にビーム挿入開口部を形成している、取り付けブラケットと、
前記上部メンバに取り付けられている少なくとも一つのクランプであって、前記クランプが形成された合わせ角度で前記上部メンバと一致するような、前記上部メンバの角度を持った端に対応する角度を持った合わせ面を有する、少なくとも一つのクランプと、
前記クランプを前記取り付けブラケットに固定するねじ付き棒であって、前記少なくとも一つのクランプを貫通し、前記少なくとも一つの上部メンバと平行に通っている、ねじ付き棒と、
前記ねじ付き棒を前記クランプおよび前記取り付けブラケットに固定している、クランプナットとを備え、
前記クランプナットを回転させると、前記取り付けブラケットアセンブリをトーションビームに固定する、取り付けブラケットアセンブリ。
【請求項２０】
前記少なくとも一つの上部メンバの端部に取り付けられる接地片をさらに備える、請求項１９に記載の取り付けブラケットアセンブリ。
【発明の詳細な説明】
【技術分野】
【０００１】
本出願は、２０１３年１０月２日に出願された米国特許出願第１４／０４４，７０４号の一部継続出願であって該出願の優先権を主張する２０１６年３月７日に出願された米国特許出願第１５／０６３，０９８号の優先権と利益を主張するもので、それらの出願は本明細書の一部を構成するものとしてその全体を本件明細書に援用する。
【０００２】
本開示は、取り付けブラケットアセンブリ、並びに関連するシステムおよび方法に関する。
【背景技術】
【０００３】
ほとんどの太陽光発電（ＰＶ）モジュールは、ＰＶ電池を囲うためにガラスを使用するため非常に重い。ソーラ取り付けシステムはしたがって、一つ以上のＰＶ電池のアレイの重量、およびそれに加わる可能性がある自然の力に耐えることができなければならない。重い太陽電池および関連する自然の力を支えることに加えて、太陽追尾装置は、太陽を追尾するために太陽電池を移動できなければならない。これは、かなりの馬力を有するモータを必要とし得る。したがって、一般的なＰＶモジュール用の取り付けおよび追尾システムは、大きく重い構成部品を備える、比較的大きく複雑なアセンブリである。
【０００４】
これらの構成部品は、少なくとも二つの理由により、太陽光発電システムにかなりの費用を加え得る。第１に、構成部品自体が、製造し、輸送し、および取り付けるのが高いということである。第２に、現場で品質管理手段を講じるために時間と熟練した作業者が必要であるため、設置および作業が高くなり得るということである。したがって、より重量を軽くし、かつ費用を削減するために、材料の全体的な使用を最小限に抑えるＰＶ取り付けシステム構成部品への要望がある。加えて、現場での設置のため、および建設中の品質管理のために必要な時間を削減し得るＰＶ取り付けシステム構成部品への要望がある。
【０００５】
さらに、今日の多くのＰＶシステムは、カスタムされたフレームを有するモジュール、またはフレームのないモジュールを使用する。ＰＶモジュールが標準的なフレームとこれらの他の変形物のどちらを使用するかによって、異なる構成部品および設計が、取り付けおよび追尾システムに必要とされる。したがって、標準的なフレーム、カスタムされたフレームを使用するＰＶモジュール、およびフレームのないモジュールを使用するＰＶモジュールであっても取り付けることができる基本設計を有するＰＶ取り付けシステムへの要望がある。
【０００６】
風、雪およびその他の過酷な状況による高い環境負荷がかかる地域での太陽追尾装置への需要が高まっている。これらの環境の一部は、大嵐やその他の厳しい気候の被害に遭いやすい沿岸部および島国である。そのような地域での環境はまた、とても腐食しやすい。そのため、非常に高い荷重に耐えられ、腐食に強いＰＶ取り付けシステムへの要望がある。
【０００７】
したがって、構造材料を必要とされる場所でのみ効果的に使用するＰＶ取り付けシステム構成部品への要望がある。また、より素早く簡易な設置および品質管理機能を提供する構成部品を有するＰＶ取り付けシステムへの要望がある。最後に、標準的なフレーム、カスタムされたフレームを使用するモジュール、およびフレームのないモジュールを使用するモジュールであっても取り付けることができるＰＶ取り付けシステムへの要望がある。
【発明の概要】
【課題を解決するための手段】
【０００８】
本開示の実施形態は、システムを強調する形状の材料を有する弾力性のある本体、および単一のボルトでＰＶモジュールと、丸みを帯びた、またはその他のくぼんだ形状のトーションビームとの間の確実な連結を容易にする構造を備える取り付けブラケットアセンブリを提供することによって、公知の取り付けシステム、太陽追尾装置および関連する構成部品の欠点を大幅に軽減する。金属フレームのＰＶモジュールを固定し、かつ電気的に接地するように構成されている一体接地装置はまた、取り付けブラケットアセンブリに設けられてもよい。
【０００９】
取り付けブラケットアセンブリの典型的な実施形態は、少なくとも一つの上部メンバ、および上部メンバに連結されている弾力的で角度を持った下部メンバを含む弾力性のある本体を備える。弾力性のある本体は、上部メンバと下部メンバとの間にビーム挿入開口部を形成している。少なくとも一つのクランプは、上部メンバに取り付けられる。典型的な実施形態において、一体接地装置は、上部メンバに隣接して配置され、発電装置を電気的に接地するように構成される。典型的な実施形態において、発電装置は、太陽光発電モジュールである。取り付けブラケットアセンブリはさらに、ねじ付き棒または押さえねじ、およびねじ付き棒を上部メンバに固定するクランプナットを備えてもよい。
【００１０】
典型的な実施形態において、ねじ付き棒は、少なくとも一つの上部メンバと少なくとも一つのクランプを貫通し、クランプを上部メンバに固定する。一体接地装置は、上部メンバの中央部に配置される接地ブロックであってもよい。そのような実施形態において、クランプナットを回転すると上部メンバを押し込み、それによって発電装置を接地するように接地ブロックを移動させる。典型的な実施形態において、一体接地装置は、上部メンバの端部またはその近くに位置する位置決めピンを含んでもよい。クランプナットは、太陽光発電モジュールが少なくとも一つのクランプによって所定のトルク値で固定されたときに取り外れる、ブレイクアウェイ構成部品であってもよい。典型的な実施形態において、クランプナットは、接地ブロックが発電装置を接地するときの状況で所定のトルクで取り外れ、発電装置は、確実にクランプされ、取り付けブラケットアセンブリは、トーションビームの周りに確実にクランプされる。
【００１１】
典型的な実施形態において、少なくとも一つのクランプは、クランプが、形成された合わせ角度で上部メンバと一致するような、上部メンバの角度を持った端に対応する角度を持った合わせ面を有する。上部メンバに関して少なくとも一つのクランプの形成された合わせ角度を変化させると、ビーム挿入開口部を貫通しているビームでの取り付けブラケットアセンブリの保持力を変更し、及び／又は上部メンバに関して少なくとも一つのクランプの形成された合わせ角度を変化させると、発電装置での取り付けブラケットアセンブリのクランプ力を変更する。
【００１２】
取り付けブラケットアセンブリの典型的な実施形態は、少なくとも一つの上部メンバ、および上部メンバに連結されている弾力的で角度を持った下部メンバを含む、弾力性のある本体を備える。弾力性のある本体は、上部メンバと下部メンバとの間にビーム挿入開口部を形成している。少なくとも一つのクランプは、上部メンバに取り付けられる。典型的な実施形態において、一体接地装置は、上部メンバに隣接して配置され、発電装置を電気的に接地するように構成される。取り付けブラケットアセンブリはさらに、少なくとも一つの上部メンバ、およびクランプを貫通し、上部メンバにクランプを固定するねじ付き棒を備えてもよい。典型的な実施形態において、クランプナットは、ねじ付き棒を上部メンバに固定する。
【００１３】
典型的な実施形態において、クランプは、クランプが、形成された合わせ角度で上部メンバに一致するような、上部メンバの角度を持った端に対応する角度を持った合わせ面を有する。クランプナットを回転すると、取り付けブラケットアセンブリを任意の形状のトーションビームに固定し得る。この形状は、少なくとも部分的に丸みを帯びた表面を有するビームを含む。典型的な実施形態において、上部メンバに関して少なくとも一つのクランプの形成された合わせ角度を変化させると、ビーム挿入開口部を貫通しているビームでの取り付けブラケットアセンブリの保持力を変更し、及び／又は発電装置での取り付けブラケットアセンブリのクランプ力を変更する。
【００１４】
典型的な実施形態は、少なくとも一つの支持柱、支持柱に連結されているトーションビーム、トーションビームに取り付けられる取り付けラック、および取り付けラックをトーションビームに取り付ける取り付けブラケットアセンブリを含む。取り付けブラケットアセンブリは、少なくとも一つの上部メンバと、上部メンバに連結されている弾力的で角度を持った下部メンバとを含む弾力性のある本体、および上部メンバに取り付けられた少なくとも一つのクランプを含む。弾力性のある本体は、上部メンバと下部メンバとの間のビーム挿入開口部を形成しており、トーションビームがビーム挿入開口部を貫通する。
【００１５】
典型的な実施形態において、取り付けブラケットアセンブリはさらに、上部メンバに隣接して配置された一体接地装置を含んでもよい。一体接地装置は、太陽光発電モジュールを固定し、かつ電気的に接地するように構成される。取り付けブラケットアセンブリはさらに、少なくとも一つの上部メンバと少なくとも一つのクランプとを貫通し、クランプを上部メンバに固定するねじ付き棒、およびねじ付き棒を上部メンバに固定するクランプナットを含んでもよい。典型的な実施形態において、クランプナットを回転すると、取り付けブラケットアセンブリをトーションビームに固定する。トーションビームは、任意の形状であってよく、少なくとも部分的に丸みを帯びた表面を含んでもよい。
【００１６】
典型的な実施形態において、一体接地装置は、上部メンバの端部またはその近くに位置する位置決めピンを含む。典型的な実施形態において、一体接地装置は、クランプナットを回転すると上部メンバを押し込み、それによって発電装置を接地するように接地ブロックを移動させるように、上部メンバの中央部に配置された接地ブロックである。
【００１７】
典型的な実施形態は、少なくとも一つの上部メンバ、および上部メンバに連結されている弾力的で角度を持った下部メンバを有し、上部メンバに少なくとも一つのクランプを取り付ける弾力性のある本体を含む取り付けブラケットアセンブリを設けることを備える発電装置を固定し、接地する方法を含んでもよい。弾力性のある本体は、上部メンバと下部メンバとの間にビーム挿入開口部を形成しており、ビーム挿入開口部を貫通してトーションビームが挿入され得る。
【００１８】
典型的な方法はさらに、発電装置を電気的に接地し、発電装置をトーションビームに連結するように一体接地装置を構成すること、および上部メンバに隣接して一体接地装置を配置することを含む。一体接地装置は、上部メンバの端部またはその近くに位置する位置決めピンであってもよい。典型的な実施形態において、一体接地装置は、クランプナットを回転すると上部メンバを押し込み、それによって発電装置を接地するように接地ブロックを押し込むように、上部メンバの中央部に配置された接地ブロックである。その他の典型的な実施形態は、上部メンバおよびクランプの「耳」に隣接する上部メンバの端部またはその近くに位置する接地クリップを含む。
【００１９】
ねじ付き棒は、上部メンバおよびクランプを貫通するように配置され得る。典型的な実施形態において、棒は、二つのクランプ、二つの上部メンバ、および接地ブロックを貫通し、これら全ての構成部品をまとめて保持する。典型的な方法は、クランプナットによってねじ付き棒を上部メンバに固定し、クランプナットを上部メンバに押し込むように回転すると、それによって発電装置を接地するように一体接地装置を移動させるステップを含んでもよい。典型的な方法はまた、ビーム挿入開口部を貫通しているビームでの取り付けブラケットアセンブリのグリップ力を変更する、および／または太陽光発電モジュールのような発電装置での取り付けブラケットアセンブリのクランプ力を変更するために上部メンバに関するクランプの形成された合わせ角度を変化させるステップを含んでもよい。
【００２０】
典型的な実施形態は、ＰＶモジュールに加えられている下向きの力と、トーションビームに加えられているグリップ力との分離を容易にする。クランプは、管でのグリップ力につぎ込まれるように締め付けねじの力を残すように、物理的な止め具で締め付けられる。典型的な実施形態において、クランプは、もしモジュールフレームの、または温度変動中の厚みの変化があったとしても、絶えず保持するためにＰＶモジュールに下向きのクランプ力を作用させるばね構造機能を含む。
【００２１】
典型的な取り付けアセンブリは、高荷重に耐えるように設計されている。典型的な実施形態において、取り付けブラケットアセンブリは、第１の取り付け可能なブラケット部品および第２の取り付け可能なブラケット部品、二つのクランプ並びに三つの締結部品を含む取り付けブラケットを備える。それぞれの取り付け可能なブラケット部品は、上部メンバおよび下部メンバを有し、二つのブラケット部品は、ヒンジジョイントで連結され得る。ツーピース（二部品構造）取り付けブラケットアセンブリは、上部メンバと下部メンバとの間にビーム挿入開口部を形成している。ビーム挿入開口部は、八角形の形状を有してもよい。第１のクランプは、第１の締結部品によって第１の取り付け可能なブラケット部品の上部メンバに取り付けられる。第２のクランプは、第２の締結部品によって第２の取り付け可能なブラケット部品の上部メンバに取り付けられる。第３の締結部品は、第１の取り付け可能なブラケット部品の下部メンバを、第２の取り付け可能なブラケット部品の下部メンバに固定し、トーションビームの周りにビーム挿入開口部を締め付ける。典型的な実施形態はまた、半ば弾力性のある材料で作られ、三つの締結部品を利用するワンピース（一部品構造）取り付けブラケット本体で構成されてもよい。
【００２２】
典型的な取り付けブラケットアセンブリはさらに、発電装置のフレームを取り付けブラケットアセンブリに電気的に接続するように構成され、第１の取り付け可能なブラケット部品の上部メンバに隣接して、または第２の取り付け可能なブラケットの上部メンバに隣接して配置された第１の一体接地装置を備える。典型的な実施形態において、第１の一体接地装置は、第１の取り付け可能なブラケット部品の上部メンバの端部、または第２の取り付け可能なブラケット部品の上部メンバの端部に取り付けられた接地片である。第１の締結部品または第２の締結部品は、クランプナットを回転すると、第１の取り付け可能なブラケット部品または第２の取り付け可能なブラケット部品の上部メンバの端部を押し込み、それによって接地片を押し込み、発電装置を電気的に接地するようなクランプナットを含んでもよい。
【００２３】
取り付けブラケットの典型的な実施形態は、腐食環境で使用されるように設計されている。典型的な実施形態において、金属を材料として取り付けブラケットが作られる場所では、表面は耐食処理されてもよい。取り付けブラケットは、取り付けブラケットアセンブリに配置された、少なくとも第２の一体接地装置を備えてもよい。第２の一体接地装置は、発電装置のフレームを取り付けブラケットアセンブリに電気的に接続するように構成され得、第１の取り付け可能なブラケット部品の上部メンバに隣接して、または第２の取り付け可能なブラケット部品の上部メンバに隣接して配置され得る。その代わりに、第２の一体接地装置は、取り付けブラケットの別の場所にあり、トルクチューブを取り付けブラケットアセンブリに電気的に接続するように構成されてもよい。取り付けブラケットは、取り付けブラケットの別の場所に第３の一体接地装置を備え、トルクチューブを取り付けブラケットアセンブリに接地するように構成されてもよい。典型的な実施形態において、取り付けブラケットは、陽極酸化処理され、第１の一体接地装置は、両面であってもよい。
【００２４】
取り付けアセンブリの典型的な実施形態は、少なくとも一つの支持柱、支持柱に連結されているトーションビーム、トーションビームに取り付けられている取り付けラック、および取り付けラックをトーションビームに取り付けている取り付けブラケットアセンブリを備える。取り付けブラケットアセンブリは、第１の取り付け可能なブラケット部品および第２の取り付け可能なブラケット部品、二つのクランプ、並びに三つの締結部品を含む取り付けブラケットを備えてもよい。それぞれの取り付け可能なブラケット部品は、上部メンバおよび上部メンバに角度を持って連結されている下部メンバを有する。典型的な実施形態において、トーションビームは、八角形の断面を有し、ビーム挿入開口部は対応する八角形の形状を有する。第１のクランプは、第１の締結部品によって第１の取り付け可能なブラケット部品の上部メンバに取り付けられる。第２のクランプは、第２の締結部品によって第２の取り付け可能なブラケット部品の上部メンバに取り付けられる。第３の締結部品は、第１の取り付け可能なブラケット部品の下部メンバを、第２の取り付け可能なブラケット部品の下部メンバに固定し、トーションビームの周りにビーム挿入開口部をクランプする。
【００２５】
取り付けブラケットはさらに、発電装置のフレームを取り付けブラケットアセンブリに電気的に接続するように構成され、第１の取り付け可能なブラケット部品の上部メンバの端部、または第２の取り付け可能なブラケット部品の上部メンバの端部に取り付けられる接地片を備えてもよい。第１の締結部品または第２の締結部品は、クランプナットを回転すると、第１の取り付け可能なブラケット部品または第２の取り付け可能なブラケット部品の上部メンバの端部を押し込み、接地片を押し込み、それによって任意の非導電層に突き刺さり、発電装置を電気的に接地するようなクランプナットを含んでもよい。典型的な実施形態において、発電装置は、太陽光発電モジュールである。
【００２６】
典型的な実施形態において、取り付けブラケットアセンブリの第１のクランプと第２のクランプのそれぞれは、それぞれのクランプが、形成された合わせ角度で上部メンバと一致するような、各上部メンバの角度を持った端に対応する角度を持った合わせ面を有する。各上部メンバに関する第１のクランプまたは第２のクランプの形成された合わせ角度を変化させると、発電装置での取り付けブラケットアセンブリのグリップ力を変更し得る。その代わりに、または加えて、各上部メンバに関する第１のクランプまたは第２のクランプの形成された合わせ角度を変化させると、固定された締結部品のトルク用の発電装置での取り付けブラケットアセンブリのクランプ力を変更し得る。
【００２７】
通常の荷重負荷のための典型的な取り付けブラケットアセンブリは、取り付けブラケット、少なくとも一つのクランプ、クランプを取り付けブラケットに固定するねじ付き棒、およびねじ付き棒をクランプと取り付けブラケットに固定するクランプナットを備える。取り付けブラケットは、少なくとも一つの上部メンバおよび角度を持って上部メンバに連結されている下部メンバを含む。取り付けブラケットは、上部メンバと下部メンバとの間にビーム挿入開口部を形成している。クランプは、上部メンバに取り付けられ、クランプが形成された合わせ角度で上部メンバと一致するような、上部メンバの角度を持った端に対応する角度を持った合わせ面を有する。ねじ付き棒は、少なくとも一つのクランプを貫通し、少なくとも一つの上部メンバと平行に通っている。クランプナットを回転すると、取り付けブラケットアセンブリをトーションビームに固定する。典型的な実施形態において、クランプはさらに、上方へ伸びているアームおよびアームの末端部にフランジを含む。取り付けブラケットアセンブリはさらに、少なくとも一つの上部メンバの端部に取り付けられた接地片を備えてもよい。
【発明の効果】
【００２８】
したがって、取り付けブラケットアセンブリ、取り付けアセンブリ、関連する方法が提供されていると考える。開示されたアセンブリおよび方法は、発電装置を固定し、電気的に接地するように構成された接地ブロックに弾力性のある構造部品を使用することによって構造材料を有効利用させる。開示されたアセンブリおよび方法は、固定し、接地することを管理する単一のクランプナット、およびアセンブリがトルク荷重の適正値を付与されているときを示すブレイクアウェイ締結部品を通じてより簡易な品質管理機能を提供する。これらおよびその他の特徴および長所は、本明細書を通じて、同様の符号が同様の部品を示す添付の図面とともに、下記の発明を実施するための形態の説明から分かる。
【図面の簡単な説明】
【００２９】
本開示の前述の、およびその他の対象は、下記の発明を実施するための形態を、添付図面と併用して考慮することで明らかになる。
【００３０】
【図１】図１は、本開示に係る取り付けシステムおよび取り付けブラケットアセンブリの典型的な実施形態の正面斜視図である。
【図２】図２は、本開示に係る取り付けシステムおよび取り付けブラケットアセンブリの典型的な実施形態の正面斜視図である。
【図３】図３は、本開示に係る取り付けシステムおよび取り付けブラケットアセンブリの典型的な実施形態の詳細な斜視図である。
【図４Ａ】図４Ａは、本開示に係る取り付けブラケットアセンブリの典型的な実施形態の斜視図である。
【図４Ｂ】図４Ｂは、図４Ａの取り付けブラケットアセンブリの正面図である。
【図４Ｃ】図４Ｃは、図４Ａの取り付けブラケットアセンブリの正面断面図である。
【図５Ａ】図５Ａは、本開示に係る取り付けブラケットアセンブリの典型的な実施形態の斜視図である。
【図５Ｂ】図５Ｂは、図５Ａの取り付けブラケットアセンブリの正面図である。
【図５Ｃ】図５Ｃは、図５Ａの取り付けブラケットアセンブリの正面断面図である。
【図６】図６は、本開示に係る取り付けブラケットアセンブリの典型的な実施形態の詳細な斜視図である。
【図７】図７は、本開示に係る取り付けブラケットアセンブリの典型的な実施形態の分解図である。
【図８】図８は、本開示に係る取り付けブラケットアセンブリの典型的な実施形態の断面図である。
【図９Ａ】図９Ａは、本開示に係る取り付けブラケットアセンブリのクランプの典型的な実施形態の正面斜視図である。
【図９Ｂ】図９Ｂは、図９Ａのクランプの背面斜視図である。
【図９Ｃ】図９Ｃは、図９Ａのクランプの側面図である。
【図１０】図１０は、本開示に係るブレイクアウェイナットを備える取り付けブラケットアセンブリの典型的な実施形態の分解図である。
【図１１Ａ】図１１Ａは、本開示に係る取り付けブラケットアセンブリのクランプナットの典型的な実施形態の斜視図である。
【図１１Ｂ】図１１Ｂは、図１１Ａのクランプナットの分解図である。
【図１１Ｃ】図１１Ｃは、本開示に係る取り付けブラケットアセンブリのクランプナットの典型的な実施形態の斜視図である。
【図１１Ｄ】図１１Ｄは、本開示に係る取り付けブラケットアセンブリのクランプナットの典型的な実施形態の斜視図である。
【図１２】図１２は、本開示に係る取り付けブラケットアセンブリのクランプの典型的な実施形態の詳細図である。
【図１３Ａ】図１３Ａは、本開示に係る取り付けブラケットアセンブリの典型的な実施形態の正面図である。
【図１３Ｂ】図１３Ｂは、本開示に係る取り付けブラケットアセンブリの典型的な実施形態の正面図である。
【図１４】図１４は、本開示に係る取り付けブラケットアセンブリの典型的な実施形態の側面図である。
【図１５】図１５は、本開示に係る取り付けブラケットアセンブリの典型的な実施形態の側面図である。
【図１６】図１６は、本開示に係る取り付けシステムおよび取り付けブラケットアセンブリの典型的な実施形態の背面斜視図である。
【図１７】図１７は、本開示に係る取り付けブラケットアセンブリのクランプの典型的な実施形態の詳細図である。
【図１８】図１８は、本開示に係る取り付けブラケットアセンブリのクランプの典型的な実施形態の詳細図である。
【図１９】図１９は、本開示に係る取り付けブラケットおよび取り付けアセンブリの典型的な実施形態の斜視図である。
【図２０Ａ】図２０Ａは、本開示に係る取り付けブラケット本体の典型的な実施形態の斜視図である。
【図２０Ｂ】図２０Ｂは、本開示に係る取り付けブラケット本体の典型的な実施形態の斜視図である。
【図２１Ａ】図２１Ａは、本開示に係る取り付けブラケット本体の典型的な実施形態の斜視図である。
【図２１Ｂ】図２１Ｂは、本開示に係る取り付けブラケット本体の典型的な実施形態の斜視図である。
【図２２】図２２は、本開示に係る取り付けブラケットアセンブリのクランプの典型的な実施形態の詳細図である。
【図２３Ａ】図２３Ａは、本開示に係るカムオーバ装置の典型的な実施形態の斜視図である。
【図２３Ｂ】図２３Ｂは、本開示に係るカムオーバ装置の典型的な実施形態の斜視図である。
【図２４Ａ】図２４Ａは、本開示に係る取り付けブラケットアセンブリの典型的な実施形態の斜視図である。
【図２４Ｂ】図２４Ｂは、本開示に係る取り付けブラケットアセンブリの典型的な実施形態の正面図である。
【図２４Ｃ】図２４Ｃは、本開示に係る取り付けブラケットアセンブリの典型的な実施形態の側面図である。
【図２４Ｄ】図２４Ｄは、本開示に係る取り付けブラケットアセンブリの典型的な実施形態の上面図である。
【図２４Ｅ】図２４Ｅは、本開示に係る取り付けブラケットアセンブリのクランプおよび一体接地装置の典型的な実施形態の断面図である。
【図２４Ｆ】図２４Ｆは、本開示に係る取り付けブラケットアセンブリの典型的な実施形態の斜視図である。
【図２４Ｇ】図２４Ｇは、本開示に係る取り付けシステムおよび取り付けブラケットアセンブリの典型的な実施形態の正面斜視図である。
【図２５Ａ】図２５Ａは、本開示に係る取り付けブラケットアセンブリの典型的な実施形態の斜視図である。
【図２５Ｂ】図２５Ｂは、本開示に係る取り付けブラケットアセンブリの典型的な実施形態の正面図である。
【図２５Ｃ】図２５Ｃは、本開示に係る取り付けブラケットアセンブリの典型的な実施形態の上面図である。
【図２５Ｄ】図２５Ｄは、本開示に係る取り付けブラケットアセンブリの典型的な実施形態の斜視図である。
【図２６Ａ】図２６Ａは、本開示に係る取り付けブラケットアセンブリの典型的な実施形態の斜視図である。
【図２６Ｂ】図２６Ｂは、本開示に係る取り付けブラケットアセンブリの典型的な実施形態の正面図である。
【図２６Ｃ】図２６Ｃは、本開示に係る取り付けブラケットアセンブリの典型的な実施形態の側面図である。
【図２６Ｄ】図２６Ｄは、本開示に係る取り付けブラケットアセンブリの典型的な実施形態の上面図である。
【図２６Ｅ】図２６Ｅは、本開示に係る取り付けブラケットアセンブリのクランプおよび一体接地装置の典型的な実施形態の断面図である。
【図２６Ｆ】図２６Ｆは、本開示に係る取り付けブラケットアセンブリの典型的な実施形態の典型的なロック構造の詳細図である。
【図２７】図２７は、本開示に係る接地片の典型的な実施形態の斜視図である。
【図２８】図２８は、本開示に係る接地片の典型的な実施形態の斜視図である。
【発明を実施するための形態】
【００３１】
下記段落において、実施形態は、添付図面に関する例として詳細に記載されている。添付図面は正確な縮尺で描かれておらず、図示された構成部品は、必ずしも互いに比例して描かれていない。本明細書を通じて、示されている実施形態と実施例は、本開示の制限よりむしろ典型として見なされるべきである。本明細書で使用されているような、「本開示」は、本明細書に記載された実施形態、およびそれに相当するもののいずれか一つに言及する。さらに、本文書を通じて、本開示の様々な態様への言及は、全ての請求項に係る実施形態や方法が言及された態様を含まなければならないことを意味しない。
【００３２】
一般に、本開示の実施形態は、取り付けブラケットアセンブリ、取り付けアセンブリ構成部品、システムおよび関連する方法に関する。典型的な実施形態は、発電装置を固定し、電気的に接地するように構成された一体接地装置に弾力性のある構造部品を使用することによって構造材料を有効利用させる。発電装置は、太陽光発電セル若しくはモジュール、太陽熱装置、太陽エネルギ収集器、またはそれらの構成部品を含む、直接的若しくは間接的に太陽放射を電気に変換し、または太陽放射を収集し、反射し、若しくは集中させる、どのような種類の装置でもよい。好適には、本開示の実施形態は、単一のボルトでＰＶモジュールフレームを取り付けブラケットアセンブリのクランプ、およびトーションビームに連結する一体接地装置を提供する。開示されたアセンブリおよび方法はまた、より簡易な品質管理機能を提供する。より具体的には、単一のクランプナットを回転すると、太陽光発電（ＰＶ）モジュールなどの発電装置を丸みを帯びたトーションビームに固定し、発電装置を接地し、ブレイクアウェイ締結部品は、アセンブリがトルク荷重の適正値を付与されているときを示す。これらの、および付加的利点は、下記でより詳細に説明される。
【００３３】
図２から図５Ｃを参照すると、取り付けブラケットアセンブリの典型的な実施形態が、記載されている。開示された取り付けブラケットアセンブリおよび方法は、多くの異なる状況で使用され得る。そのような活用法の一つは、ソーラ取り付けおよび／または追尾システムである。図１は、少なくとも一つの支持柱２、軸受６によって支持柱２に連結されたトーションビーム３、トーションビーム３に取り付けられた取り付けラック（示されていない）、および取り付けシステムに取り付けられた少なくとも一つの太陽光発電モジュール５を含む典型的なソーラ取り付けシステム１を示す。典型的な取り付けブラケットアセンブリ１０は、取り付けラック４をトーションビーム３に取り付けるために使用され得る。トーションビーム３は、円形、四角形、六角形、または例えば一つ以上の面に平面を有する丸みを帯びたような任意の複合形状を含むが限定されるものではない、任意の形状であってもよい。開示された利点の一つは、単一のボルト（本明細書ではねじ付き棒で説明されている）を使用して、取り付けブラケットを円形の、または曲線的な管に確実に連結する機能である。典型的な実施形態において、トーションビームは、図１５で図示されているような、ロックシームの特徴５４を有する管であってもよい。本明細書でより詳しく説明されているように、取り付けブラケットアセンブリは、トーションビーム３が内部に配置され、開口部を貫通し得るような、ビーム挿入開口部２８を形成している。
【００３４】
典型的な取り付けブラケットアセンブリ１０は、全体若しくは一部において弾力性のある若しくは半ば弾力性のある材料で作られ得る、本体１２または構造部品を備える。弾力性のある本体１２は、少なくとも一つの上部メンバ１４と、上部メンバ１４にその両端にある端１８と端２０で連結されている角度を持った下部メンバ１６を含む。上部メンバ１４および／または下部メンバ１６は、弾力性のあるまたは半ば弾力性のある材料で作られてもよい。角度を持った下部メンバ１６は、上部メンバ１４に固定して取り付けられてもよく、本体１２は、鋳造アルミニウム、押し出しアルミニウム、射出成形プラスチックで、機械加工、押し出し成形、一体成形、型成形によって作られた単一の構造物であってもよく、または鉄、グラスファイバ、複合材料、若しくはその他の任意の丈夫で弾力性のある若しくは半ば弾力性のある材料で作られ得る。下部１６の角度は、図４Ａから図４Ｃ、図５Ａから図５Ｃの実施形態で示されるように変化してもよい。強化メンバ１７網は、上部メンバ１４と角度を持った下部メンバ１６との間に設けられてもよい。
【００３５】
本体１２は、上部メンバ１４と下部メンバ１６との間にビーム挿入開口部２８を形成するリング４４を含む。ビーム挿入開口部は、そこを貫通して挿入されるトーションビーム３のサイズおよび形状によって決まる、円形、四角形、六角形、または例えば一つ以上の面に平面を有する丸みを帯びたような任意の複合形状を含むが限定されるものではない、任意のサイズまたは形状であってもよい。リング４４およびビーム挿入開口部２８のサイズは、図４Ａから図４Ｃ、図５Ａから図５Ｃの実施形態で示されるように、負荷によって変化してもよい。取り付けブラケットアセンブリ１０は好適には、必要とされる場所でのみ構造材料を有し、アセンブリの応力に応じた形状となるように設計される。
【００３６】
典型的な実施形態において、取り付けブラケットアセンブリ１０の本体１２は、ツーピース構造を有し得る。図２０、図２０Ａ、図２０Ｂ、図２１Ａ、および図２１Ｂは、本体１２が二つの取り付け可能な本体部品１２ａ、１２ｂを備える実施形態を図示する。これは好適には、トーションビーム３への取り付けブラケットアセンブリ１０の取り付けを容易にする。本体部品は、図２０Ａおよび図２０Ｂで示されているような、合わせフランジ１５および溝１７を備えるスライド可能なロック構造１３によって結合され得る。その代わりとして、図２１Ａおよび図２１Ｂで示されているような、ヒンジピン２１を含むヒンジ連結１９が設けられてもよい。
【００３７】
図６および図７で最もよく示されているように、少なくとも一つのクランプ２２は、上部メンバ１４の端１８、端２０に取り付けられ、典型的な実施形態において、第１のクランプ２２ａは、上部メンバ１４の第１の端１８に取り付けられ、第２のクランプ２２ｂは、上部メンバ１４の第２の端２０に取り付けられる。典型的なクランプ２２は、アーム２４およびフランジ２６を有する。本明細書で詳しく説明されているように、クランプ２２ａ、クランプ２２ｂのアーム２４およびフランジ２６は、モジュールを所定の位置に保持するためにＰＶモジュール５のフレーム２３の上部または側部に取り付く働きをする。クランプ２２はまた、圧迫によってＰＶモジュールを固定する圧迫型であっても、ＰＶモジュールの側部に取り付けるためにフックを使用してもよい。取り付けブラケットアセンブリ１０およびクランプ２２は、モジュール設計および荷重要求に応じて、長さが異なってもよい。クランプ２２はまた、クランプを貫通してねじ又はその他の締結部品を通すための付加的な孔、及びＰＶモジュールをより固定するためにモジュールフレーム形状の切り欠きを形成し得る。
【００３８】
フレームレスＰＶモジュールのために、クランプ２２２は、フレームレスＰＶモジュールをクランプするための実質的に平坦で強固な止め具２２７を含み得る。図８で示されるように、フレームレスモジュールのための典型的なクランプ２２２は、フレームレスＰＶモジュールを圧入で固定するための実質的に平坦で強固な止め具２２７を特徴とし得る。これは好適には、モジュール５ではなく、よりトーション管３に締め付ける機能を提供する。その代わりとして、図９Ａから図９Ｃで示されているように、クランプ３２２は、フレームレスＰＶモジュールのガラス又はその他の基質をつかみ、固定するための鋸状の歯３３１を有する弾力性のある挿入構成部品３２９を含み得る。
【００３９】
典型的な実施形態において、取り付けブラケットアセンブリ１０は、発電装置を固定し、接地することの両方ができる一体接地装置３０を含む。典型的な一体接地装置は、接地ブロック３０であり、例えば断面に十字形状またはＵ字形状を備えるブロックのような、いくつかの形状をとり得る。接地ブロック３０の典型的な実施形態は、接地するためにＰＶモジュールのフレームとトーションビームの両方に突き刺さるのに十分な強度があるステンレス鋼またはその他の導電材料の構成部品である。
【００４０】
取り付けブラケットアセンブリ１０での接地ブロック３０の典型的な構成が、図４Ｂ、図５Ｂ、図６および図７に図示されている。示されているように、本体１２の上部メンバ１４は、取り付けブラケットアセンブリ１０の本体１２の全上部メンバ１４を形成するように並べられた二つの上部メンバ１４ａ、１４ｂを備えてもよい。接地ブロック３０は、ここでは導電金属構成部品として示されており、それぞれの上部メンバ１４ａと上部メンバ１４ｂに隣接して配置されている。より具体的には、接地ブロックは、上部メンバ１４ａと上部メンバ１４ｂとの間の、全上部メンバ１４の中央に配置されている。この構造は好適には、ＰＶモジュールのような取り付けられた発電装置と、取り付けアセンブリのトーションビームのような構造構成部品との間を接地させ得る位置で接地ブロック３０を提供する。
【００４１】
次に図１０を見ると、一体接地装置４３０の典型的な実施形態が、より詳細に図示されている。好適には、接地装置の実施形態は、設計者の要求によって決まる、ＰＶモジュールを接地するためのいくつかの選択肢を提供する。例えば、一体接地装置４３０は、ＰＶモジュールの指標とするための位置決めピン４２９を含み得る。取り付けブラケットアセンブリ１０の典型的な実施形態は、少なくとも一つのモジュール位置決めピン４２９、および上部メンバ１４ａと上部メンバ１４ｂとの間の上部メンバ１４の中央に配置された接地ブロック３０を含む。別の典型的な実施形態は、位置決めピン４２９を上部メンバ１４に固定し、ＰＶモジュール５に接地接続を提供するために接地ワッシャ４３３を有する少なくとも一つの位置決めピン４２９（例えば、第１の位置決めピン４２９ａおよび第２の位置決めピン４２９ｂ）を使用する。第３の実施形態において、少なくとも一つの突起部のある接地バーブ４３１（例えば、第1のバーブ４３１ａおよび第２のバーブ４３１ｂ）は、弾力性のある本体１２の上部メンバ１４に取り付けられる。突起部のある接地バーブ４３１は、ＰＶモジュール５を固定し、接地する働きをし、接地ワッシャまたは接地ブロックの必要性を除去する。
【００４２】
それぞれの上述された実施形態において、接地ブロック３０，接地ワッシャ４３３、又は接地バーブ４３１ａ、接地バーブ４３１ｂは、それぞれ、ＰＶモジュール５のような発電装置と、取り付けブラケットアセンブリ１０が取り付けられているトーションビーム３との間に確実な接地接続を提供する働きをする。位置決めピン４２９ａ、位置決めピン４２９ｂはまた、取り付けアセンブリにＰＶモジュール５の取り付けと固定を可能とする。特に、位置決めピン４２９は、モジュール内に配置し固定するのに好適であり、モジュールをえぐって刻み込むために鋸歯状にされ得る。位置決めピンはまた、継ぎ目のずれの指標とするフックのような形状の構成部品でもあり得る。
【００４３】
図４Ｂ、図４Ｃ、図５Ｂ、図５Ｃ、図６および図７で最もよく示されているように、取り付けブラケットアセンブリ１０はさらに、上部メンバ１４を貫通しているねじ付き棒３２を備える。より具体的には、棒３２は、第１のクランプ２２ａ、第１の上部メンバ１４ａ、接地ブロック３０、第２の上部メンバ１４ｂおよび第２のクランプ２２ｂを貫通する。図７で最もよく示されているように、典型的な接地ブロック３０は、棒３２の通過を容易にするために貫通孔３４を形成してもよい。クランプナット３６はまた、提供される。クランプナット３６とともに、棒３２はクランプ、上部メンバおよび接地ブロックをともに保持する働きをする。図１７および図１８で示されているように、それぞれ、ボルトヘッド４３は、本明細書に記載されているように、上部メンバ１４ａの第１の端１８でクランプ２２ａ、クランプ２２ｂの合わせ角度に適合するようにねじ付き棒３２を回すこと、または回転することができるように設計され、または回転され得ないように形成されてもよい。
【００４４】
クランプナット３６は、好適には、ＰＶモジュールのような発電装置の取り付けおよび接地を容易にする。より具体的には、棒３２の内側へのクランプナット３６の回転は、上部メンバ１２ａ、上部メンバ１２ｂを押し込み、発電装置とトーションビームの接触または突き刺すことを通じて発電装置を固定し接地するように接地ブロック３０を移動させる。典型的な実施形態において、図１１Ａ、図１１Ｂ、図１１Ｄおよび図１２で図示されているように、クランプナット３６は、トルクの適正値で恒久的な取り付け構成部品３９を取り外すブレイクアウェイ構成部品３７を含んでもよい。
【００４５】
より具体的には、ブレイクアウェイ構成部品３７は、後述する状況の一つ以上に遭遇したとき、取り外れるように設計され得る：ＰＶモジュール５は、クランプ２２によって固定され、モジュール圧力は、接地点で良好な接地を設けるのに十分な圧力を有し、および／または取り付けブラケットアセンブリ１０は、荷重が加わったとしても回転またはスライドしないようにトーションビーム３に固定されるのに十分なグリップ力を有する。ブレイクアウェイの特徴は、トルク品質保証構造として、および盗難防止システムのためのセキュリティハードウェアを有することとして機能し得、これには、取り外しできるように固定された盗難防止形状ナット４１を含む。図１１Ｃで示されているように、クランプナット１３６の代わりの実施形態は、恒久的な取り付け構成部品１３９から（壊さずに）取り外せる取り外し可能な構成部品１３７を有し得る。
【００４６】
図２２、図２３Ａおよび図２３Ｂを参照すると、別の典型的な実施形態は、簡易脱着機構を提供するためにねじ付き棒３２の端でカムオーバ装置５２を使用する。カムオーバ装置５２は、ハンドル部５４がまっすぐ伸びた解放位置とハンドル部５４が下向きにねじ付き棒３２と垂直に折り曲げられた嵌合位置を有する。解放位置において、カムオーバ装置５２は、ねじ付き棒３２の端、および取り付けブラケットアセンブリ１０のクランプ２２に固定するために回転され得る。そして、カムオーバ装置５２のハンドル部５４は、簡易脱着機構を嵌合するために下向きに折り曲げられる。一旦嵌合された場合、カムオーバ装置５２のハンドル部５４をまっすぐの解放位置へ切り替えると、ねじ付き棒３２から装置を簡易に脱着する。
【００４７】
次に図２４Ａから図２４Ｇを見ると、高荷重負荷で使用するための取り付けブラケットアセンブリの典型的な実施形態が、記載されている。取り付けブラケットは、高荷重に耐えられるように設計される。より具体的には、様々な結合箇所で取り付けブラケットから荷重が分散され得るように、取り付けブラケットは、二つの取り付け可能なブラケットまたはフレーム部品、および三つの締結部品によって結合された二つのクランプで形成される。そのような活用法の一つは、高荷重用ソーラ取り付けおよび／または追尾システムである。図２４Ｇは、少なくとも一つの支持柱１０２、軸受１０６によって支持柱１０２に連結されたトーションビーム１０３、および取り付けシステムに取り付けられた少なくとも一つの太陽光発電モジュール１０５を含む典型的なソーラ取り付けシステム１０１を示す。典型的な取り付けブラケットアセンブリ１１０は、太陽光発電モジュール１０５をトーションビーム１０３に取り付けるために使用され得る。トーションビーム１０３は、円形、四角形、六角形、八角形、または例えば一つ以上の面に平面若しくは溝を有する丸みを帯びたような任意の複合形状を含むが限定されるものではない、任意の形状であってもよい。本明細書でより詳しく説明されているように、取り付けブラケットアセンブリ１１０は、トーションビーム１０３が内部に配置され、開口部を貫通し得るような、ビーム挿入開口部１２８を形成している。
【００４８】
典型的な取り付けブラケットアセンブリ１１０は、取り付けブラケット１１２を備え、取り付けブラケット１１２は、少なくとも一部が、剛性のある材料、弾力性のある材料、又は半ば弾力性のある材料で作られてもよい。取り付けブラケット１１２は、二つの取り付け可能なブラケット部品１１３ａ、１１３ｂを備えられており、それぞれの部品は、上部メンバ１１４ａ、１１４ｂ、下部メンバ１１６ａ、１１６ｂ、およびもう一方と結合されるとビーム挿入開口部１２８を形成する半分のリング１４４を有する。図２４Ｂで最もよく見られるように、第１の取り付け可能なブラケット部品１１３ａの下部メンバ１１６ａは、角度Ａで上部メンバ１１４ａと連結する。同様に、第２の取り付け可能なブラケット部品１１３ｂの下部メンバ１１６ｂは、同じ角度Ａで上部メンバ１１４ｂと連結する。下部メンバ１１６ａ、１１６ｂは、上部メンバ１１４ａ、１１４ｂに固定して取り付けられてもよく、ブラケット部品１１２は、鋳造アルミニウム、押し出しアルミニウム、射出成形プラスチックで、機械加工、押し出し成形、一体成形、型成形によって作られた単一の構造物であってもよく、または鉄、グラスファイバ、複合材料、若しくはその他の任意の丈夫で剛性のある、弾力性のある若しくは半ば弾力性のある材料で作られ得る。一つ以上の強化メンバ１１１が、上部メンバ１１４ａ、１１４ｂと下部メンバ１１６ａ、１１６ｂとの間に設けられてもよい。完全にアセンブリされたとき、上部メンバ１１４ａと上部メンバ１１４ｂはともに約２２ｍｍ〜約２４ｍｍ伸び、全取り付けブラケットアセンブリ１１０は、約２４ｍｍ〜約２７ｍｍ伸びる。
【００４９】
二つのブラケット部品１１３ａ、１１３ｂは、任意の適切な締結構造によって、ともに連結され、固定され得る。典型的な実施形態において、締結部品１２５ｃは、第１の取り付け可能なブラケット部品１１３ａの下部メンバ１１６ａを第２の取り付け可能なブラケット部品１１３ｂの下部メンバ１１６ｂに固定する。第１のブラケット部品１１３ａの上部メンバ１１４ａは、中空のシリンダ１１７を形成している曲線状の合わせフランジ１１５を備えられているロック構造１０７によって第２のブラケット部品１１３ｂの上部メンバ１１４ｂに取り付けられる。中空のシリンダ１１７は、第２のブラケット部品１１３ｂのスライド合わせ部を受け、そこでスライドして離れないようにブラインドリベットおよびワッシャ１２１で保持される。構造は図２６Ｆで詳細に示されている。その代わりに、図２０Ａおよび図２０Ｂで示されているようなスライド可能なロック構造、または図２１Ａおよび図２１Ｂで示されているようなヒンジピンを有するヒンジ連結が使用され得る。
【００５０】
二つのブラケット部品１１３ａ、１１３ｂが連結し、固定されるとき、リング１４４を含む、取り付けブラケットアセンブリの全取り付けブラケット１１２を形成する。リング１４４は、取り付けブラケット１１２の上部メンバ１１４ａ、１１４ｂと下部メンバ１１６ａ、１１６ｂとの間にビーム挿入開口部１２８を形成している。典型的な実施形態において、ビーム挿入開口部１２８は、八角形の断面を有するトーションビームが開口部１２８に挿入され得るように、八角形の形状を有してもよい。ビーム挿入開口部１２８は、トーションビームのサイズおよび形状によって決まる、円形、四角形、六角形、八角形または例えば一つ以上の面に平面を有する丸みを帯びたような任意の複合形状を含むが限定されるものではない、任意のサイズまたは形状であってもよいことに留意すべきである。さらに、リング１４４およびビーム挿入開口部１２８のサイズは、負荷によって変化してもよい。
【００５１】
図２４Ｅで詳細に図示されているように、クランプ１２２は、ブラケット部品１１３ａ、１１３ｂのそれぞれの上部メンバ１１４ａ、１１４ｂの端部１１８、１２０に取り付けられる。より具体的には、第１のクランプ１２２ａは、第１の締結部品１２５ａによって第１の取り付け可能なブラケット部品１１３ａの上部メンバ１１４ａに取り付けられ、第２のクランプ１２２ｂは、第２の締結部品１２５ｂによって第２の取り付け可能なブラケット部品１１３ｂの上部メンバ１１４ｂに取り付けられる。上述されているように、第３の締結部品１２５ｃは、第１のブラケット部品１１３ａおよび第２のブラケット部品１１３ｂを固定する働きをする。締結部品１２５ａ、締結部品１２５ｂ、締結部品１２５ｃは、任意の適切な締結装置またはアセンブリであり得、典型的な実施形態において、それぞれの締結部品は、根角ボルト、ナットおよび一つ以上のワッシャが必要に応じて備えられる。
【００５２】
三つの締結部品を利用している典型的な取り付けブラケットアセンブリは、トルクチューブの回りでブラケットをクランプするために一つの締結部品を使用してもよい一方、それぞれ一つずつ上部メンバの端部に置かれ、ブラケットの上部メンバに垂直に配置されているその他の二つの締結部品を利用してもよい。二つの垂直な締結部品は、締結部品が締め付けられるとき、Ｕ字形状クランプが取り付けブラケットアセンブリの上部メンバに確実にクランプするように発電装置に圧力を加えるように、Ｕ字形状クランプメンバ内の孔を貫通して挿入されてもよい。
【００５３】
本明細書でより詳しく説明されているように、一方または両方のクランプ１２２ａ、クランプ１２２ｂは、ブラケット部品１１３ａ、１１３ｂのそれぞれの各上部メンバ１１４ａ、１１４ｂの第１の端部１１８、１２０の角度を持った面１４０に対応する角度を持った合わせ面１３８を有してもよい。加えて、一方または両方のクランプ１２２ａ、クランプ１２２ｂは、上方へ伸びているアーム１２４およびアームの末端部にフランジ１２６を有してもよい。クランプ１２２ａ、クランプ１２２ｂのアーム１２４およびフランジ１２６は、モジュールを所定の位置に保持するためにＰＶモジュール１０５のフレーム１２３の上部または側部に取り付く働きをする。クランプ１２２はまた、圧迫によってＰＶモジュールを固定する圧迫型であっても、ＰＶモジュールの側部に取り付けるためにフックを使用してもよい。取り付けブラケットアセンブリ１１０およびクランプ１２２は、モジュール設計および荷重要求に応じて、長さが異なってもよい。クランプ１２２はまた、クランプを貫通してねじ又はその他の締結部品を通すための付加的な孔、及びＰＶモジュールをより固定するためにモジュールフレーム形状の切り欠きを形成し得る。
【００５４】
典型的な実施形態において、取り付けブラケットアセンブリ１１０は、発電装置のフレームを取り付けブラケットアセンブリに電気的に接続するように構成された第１の一体接地装置１３０ａを含む。典型的な接地装置は、接地片１３０であり、接地片１３０は、形状とサイズを変更することができ、片面または両面のどちらでも可能である。接地片１３０は、ＰＶモジュールのフレームに突き刺さり、接地させるのに十分な強度があるステンレス鋼またはその他の導電材料で作られる。第１の接地片１３０ａは、第１または第２の取り付け可能なブラケット部品１１３ａ、１１３ｂの上部メンバ１１４ａ、１１４ｂの一つに隣接して配置されてもよい。典型的な実施形態において、第１の接地片１３０ａは、第２のブラケット部品１１３ｂの上部メンバ１１４ｂの端部１２０に取り付けられている。より具体的には、第１の接地片１３０ａは、上部メンバ１１４ｂがクランプ１２２ｂに取り付ける端部１２０内に配置され得る。
【００５５】
取り付けブラケットアセンブリ１１０は、腐食環境で使用されるように設計され得る。典型的な実施形態において、金属を材料として取り付けブラケットが作られる場所では、耐食処理されてもよい。より具体的には、取り付けブラケットアセンブリ１１０または取り付けブラケットアセンブリの構成部品は、耐食処理されてもよく、必要があれば、さらに一体接地装置１３０ｂ、一体接地装置１３０ｃが設けられてもよい。典型的な実施形態において、取り付けブラケット１１２および／またはクランプ１２２は、図２４Ｆで最もよく示されているように、陽極酸化仕上げ１４１を有してもよい。これは、取り付けブラケットアセンブリ１１０が耐食性、陽極酸化仕上げを有するように、構成部品の自然酸化被膜の厚みを大きくするために電気化学過程によって、達成され得る。アルミニウム部品が非導電表面層を有するために、取り付けブラケットアセンブリは、他のめっきをされ、塗装をされ、またはその他の化成処理を施され得ることに留意すべきである。
【００５６】
耐食コーティングは、非導電性であってもよく、したがって、導電性を提供するために取り付けブラケットアセンブリに突き刺す必要があり得る。陽極酸化処理がされているとき、取り付けブラケットアセンブリ１１０は、少なくとも二つの一体接地装置および／または二重接地機能を要求し得る。図２７は、下向きに突き出ている接地孔１３１を備える典型的な一方向の接地片１３０を示す。図２８を参照すると、接地片５３０は、二重接地機能を提供し得る。より具体的には、二重接地片５３０は、上向きに突き出ている接地孔５３３と下向きに突き出ている接地孔５３１の両方を有している。その代わりに、または加えて、取り付けブラケットアセンブリは、少なくとも二つの一体接地装置１３０ａ、１３０ｂを含んでもよい。より具体的には、図２４Ｆで最もよく示されているように、第２の接地片１３０ｂは、第１のブラケット部品１１３ａの上部メンバ１１４ａの端部１２０に取り付けられてもよく、取り付けブラケットの他の場所に配置されてもよい。いくつかの実施形態において、第２の接地片２３０ｂは、図２５Ｄで示されているように、リング２４４の一部のような取り付けブラケットの別の場所にあってもよい。
【００５７】
上述されているように、第１の接地片１３０ａは、発電装置のフレームを取り付けブラケットアセンブリ１１０に電気的に接続する。二つの接地片２３０ａ、２３０ｂを有する実施形態において、第２の接地片２３０ｂは、取り付けブラケットアセンブリをトーションビーム１０３に電気的に接続し、それによって電気的接続または接地経路を完成させる。典型的な実施形態において、第３の一体接地装置１３０ｃまたは接地片は、第３の締結部品１２５ｃが第１のブラケット部品１１３ａおよび第２のブラケット部品１１３ｂを固定する場所での若しくはその近くの、ロック構造が第１のブラケット部品１１３ａの上部メンバ１１４ａを第２のブラケット部品１１３ｂの上部メンバ１１４ｂに連結する場所での若しくはその近くの、または取り付けブラケット１１２および／若しくはクランプ１２２での任意のその他の適切な場所の、リング１４４の一部のような取り付けブラケットの別の場所に配置されてもよい。
【００５８】
三つの接地片１３０ａ、１３０ｂ、１３０ｃを有する実施形態において、第２の接地片は、第１のブラケット部品１１３ａの上部メンバ１１４ａの端部１２０に取り付けられており、また発電装置のフレームを取り付けブラケットアセンブリ１１０に電気的に接続する働きをする。第３の接地片１３０ｃは、取り付けブラケットアセンブリをトーションビーム１０３に電気的に接続し、それによって電気的接続または接地経路を完成させる。接地片１３０ａ、接地片１３０ｂ、接地片１３０ｃの一つ、二つまたは三つ全ては、両面であってもよい。必要に応じて、三つより多くの接地装置が取り付けブラケットアセンブリに含まれ得ることにもまた留意すべきである。
【００５９】
図２５Ａから図２５Ｄを参照すると、通常の荷重負荷のための取り付けブラケットアセンブリ２１０の典型的な実施形態は、剛性のある、弾力性のある又は半ば弾力性のある材料で全体または一部が作られ得る取り付けブラケット２１２を備える。取り付けブラケット２１２は、下部メンバ２１６および少なくとも一つの上部メンバ２１４を備えられる。典型的な実施形態において、取り付けブラケット２１２は、取り付けブラケット２１２の角から中央に向かって伸びる二つの上部メンバ２１４ａ、２１４ｂを有する。図２５Ａおよび図２５Ｂで示されているように、二つの上部メンバ２１４ａ、２１４ｂは、部分的に取り付けブラケット２１２に広がり、接触するのではなく間隙２２７がある。その代わりに、二つの上部メンバ２１４ａ、２１４ｂは、接触し得、または取り付けブラケット２１２は、取り付けブラケット全体に広がる単一の上部メンバ２１４を有し得る。図２５Ｂで最もよく示されているように、取り付けブラケット２１２の下部メンバ２１６は、角度Ａを持った上部メンバ２１４ａと同じ角度Ａを持った上部メンバ２１４ｂをつなげる。下部メンバ２１６は、上部メンバ２１４ａ、上部メンバ２１４ｂに固定して取り付けられてもよく、取り付けブラケット２１２は、鋳造アルミニウム、押し出しアルミニウム、射出成形プラスチックで、機械加工、押し出し成形、一体成形、型成形によって作られた単一の構造物であってもよく、または鉄、グラスファイバ、複合材料、若しくはその他の任意の丈夫で弾力性のある若しくは半ば弾力性のある材料で作られ得る。
【００６０】
取り付けブラケット２１２は、上部メンバ２１４ａ、上部メンバ２１４ｂと下部メンバ２１６との間にビーム挿入開口部２２８を形成するリング２４４を含む。典型的な実施形態において、ビーム挿入開口部２２８は、八角形の断面を有するトーションビームを受けるために八角形の形状である。しかしながら、ビーム挿入開口部２２８は、トーションビームのサイズおよび形状によって決まる、円形、四角形、六角形、八角形または例えば一つ以上の面に平面を有する丸みを帯びたような任意の複合形状を含むが限定されるものではない、任意のサイズまたは形状であってもよい。さらに、リング２４４およびビーム挿入開口部２２８のサイズは、負荷によって変化してもよい。図２５Ｂで最もよく示されているように、ねじ付き棒２３２（本明細書で詳しく説明されている）は、間隙２２７の上を上部メンバ２１４ａ、上部メンバ２１４ｂと平行に通っており、八角形リング２４４の上部を形成している。
【００６１】
典型的な実施形態において、少なくとも一つのクランプ２２２は、取り付けブラケット２１２のそれぞれの上部メンバ２１４ａ、２１４ｂの端部２１８、２２０に取り付けられる。より具体的には、第１のクランプ２２２ａは、取り付けブラケット２１２の第１の上部メンバ２１４ａに取り付けられ、第２のクランプ２２２ｂは、取り付けブラケット２１２の第２の上部メンバ２１４ｂに取り付けられる。クランプ２２２ｂを備えると、取り付けブラケットアセンブリ２１０は、最長箇所で約１２ｍｍから１５ｍｍの長さである。本明細書でより詳しく説明されているように、一方または両方のクランプ２２２ａ、クランプ２２２ｂは、取り付けブラケット２１２のそれぞれの各上部メンバ２１４ａ、２１４ｂの第１の端部２１８、第２の端部２２０の角度を持った面２４０に対応する角度を持った合わせ面２３８を有してもよい。加えて、一方または両方のクランプ２２２ａ、クランプ２２２ｂは、上方へ伸びているアーム２２４およびアームの末端部にフランジ２２６を有してもよい。クランプ２２２ａ、クランプ２２２ｂのアーム２２４およびフランジ２２６は、モジュールを所定の位置に保持するためにＰＶモジュール１０５のフレーム１２３の上部または側部に取り付く働きをする。クランプ２２２はまた、圧迫によってＰＶモジュールを固定する圧迫型であっても、ＰＶモジュールの側部に取り付けるためにフックを使用してもよい。取り付けブラケットアセンブリ２１０およびクランプ２２２は、モジュール設計および荷重要求に応じて、長さが異なってもよい。クランプ２２２はまた、クランプを貫通してねじ又はその他の締結部品を通すための付加的な孔、及びＰＶモジュールをより固定するためにモジュールフレーム形状の切り欠きを形成し得る。
【００６２】
典型的な実施形態において、取り付けブラケットアセンブリ２１０は、発電装置を固定し、電気的に接地するように構成された少なくとも一つの一体接地装置２３０を含む。典型的な接地装置は、接地片２３０であり、接地片２３０は、形状とサイズを変更し得る。接地片２３０は、ＰＶモジュールのフレームに突き刺さり、接地させるのに十分な強度があるステンレス鋼またはその他の導電材料で作られる。接地片２３０は、ブラケット部品２１２の上部メンバ２１４ａ、上部メンバ２１４ｂの一つに隣接して配置されてもよい。典型的な実施形態において、接地片２３０は、第２のブラケット部品２１２の上部メンバ２１４ｂの端部２２０に取り付けられる。より具体的には、接地片２３０は、上部メンバ２１４ｂがクランプ２２２ｂに取り付ける端部２２０に配置され得る。
【００６３】
図２５Ａおよび図２５Ｂで最もよく示されているように、取り付けブラケットアセンブリ２１０はさらに、上部メンバ２１４ａ、上部メンバ２１４ｂを貫通しているねじ付き棒２３２を備える。より具体的には、棒２３２は、第１のクランプ２２２ａを貫通し、第１の上部メンバ２１４ａおよび第２の上部メンバ２１４ｂに平行にその上を通り、第２のクランプ２２２ｂを貫通する。クランプナット２３６はまた、設けられる。クランプナット２３６とともに、棒２３２は、クランプと取り付けブラケットの上部メンバとをともに保持する働きをする。加えて、間隙２２７の上を通るねじ付き棒２３２の部位は、上部メンバ２１４ａ、上部メンバ２１４ｂに平行な方向および間隙２２７を横切る場所に起因して、八角形リング２４４の上部となってもよい。
【００６４】
典型的な実施形態において、ボルトヘッド２４３は、本明細書に記載されているように、上部メンバ２１４ａの第１の端２１８でクランプ２２２ａ、クランプ２２２ｂの合わせ角度に適合するようにねじ付き棒２３２を回転することができるように設計され、または回転され得ないように形成されてもよい。クランプナット２３６は好適には、取り付けブラケットアセンブリ２１０をトーションビームに固定し、ＰＶモジュールのような発電装置の取り付けおよび接地を容易にする。より具体的には、棒２３２の内側へのクランプナット２３６の回転は、上部メンバ２１４ａ、上部メンバ２１４ｂを押し込み、そして発電装置の合わせフレームを押し込むことで発電装置を電気的に接地するように接地片２３０を押し込む。
【００６５】
腐食に耐えるために陽極酸化処理がされているとき、典型的な取り付けブラケットアセンブリは、図２８で示されているような二重接地装置を使用してもよい。その代わりに、または加えて、取り付けブラケットアセンブリ２１０は、少なくとも二つの一体接地装置２３０ａ、２３０ｂを含んでもよい。より具体的には、図２５Ｄで図示されているように、第２の接地片２３０ｂは、リング１４４に取り付けられてもよく、または取り付けブラケットの別の場所に配置されてもよい。第３の一体接地装置または接地片は、取り付けブラケットの別の場所に配置されてもよく、さらに接地装置が同様に設けられてもよい。
【００６６】
図２６Ａから図２６Ｃは、ねじ付き棒３３２およびクランプナット３３６の機構を利用するツーピース取り付けブラケットアセンブリ３１０の典型的な実施形態を図示する。この実施形態は、図２５Ａから図２５Ｃで示されている取り付けブラケットより著しく長く、二つの上部メンバ３１４ａ、３１４ｂ沿いに約２１ｍｍから約２４ｍｍ、クランプ３２２ａ、クランプ３２２ｂを含めると約２４ｍｍから２６ｍｍの長さを有する。取り付けブラケットアセンブリ３１０は、剛性のある、弾力性のある又は半ば弾力性のある材料で全体または一部が作られ得る取り付けブラケット３１２を備える。取り付けブラケット３１２は、二つの取り付け可能なブラケット部品３１３ａ、３１３ｂを備えられており、それぞれの部品は、上部メンバ３１４ａ、３１４ｂ、下部メンバ３１６ａ、３１６ｂを有する。典型的な実施形態において、取り付けブラケット３１２は、取り付けブラケット３１２の角から中央に向かって伸びる二つの上部メンバ３１４ａ、３１４ｂを有する。
【００６７】
第１のブラケット部品３１３ａの下部メンバ３１６ａは、第２のブラケット部品３１３ｂの下部メンバ３１６ｂにロック構造によって取り付けられてもよい。図２６Ｆで最もよく示されているように、典型的なロック構造は、中空のシリンダ１１７を形成している曲線状の合わせフランジ１１５を備えられており、中空のシリンダ１１７は、第２のブラケット部品１１３ｂのスライド合わせ部を受け、そこでスライドして離れないようにブラインドリベットおよびワッシャ１２１で保持される。図２６Ａおよび図２６Ｂで示されているように、二つの上部メンバ３１４ａ、３１４ｂは、部分的に取り付けブラケット３１２に広がり、接触するのではなく間隙３２７がある。リング３４４は、任意の形状が可能であり、八角形で示されており、上部メンバ３１４ａ、上部メンバ３１４ｂと下部メンバ３１６との間にビーム挿入開口部３２８を形成している。強化メンバ３１７網は、上部メンバ３１４ａ、上部メンバ３１４ｂと角度を持った下部メンバ３１６との間に設けられてもよい。
【００６８】
図２６Ｂで最もよく示されているように、第１のクランプ３２２ａは、第１のブラケット部品３１３ａの上部メンバ３１４ａに取り付けられ、第２のクランプ３２２ｂは、第２のブラケット部品３１３ｂの上部メンバ３１４ｂに取り付けられる。本明細書でより詳しく説明されているように、一方または両方のクランプ３２２ａ、クランプ３２２ｂは、取り付けブラケット３１３ａ、３１３ｂのそれぞれの各上部メンバ３１４ａ、３１４ｂの第１の端部３１８、第２の端部３２０の角度を持った面３４０に対応する角度を持った合わせ面３３８を有してもよい。加えて、一方または両方のクランプ３２２ａ、クランプ３２２ｂは、上方へ伸びているアーム３２４およびアームの末端部にフランジ３２６を有してもよい。クランプ３２２ａ、クランプ３２２ｂのアーム３２４およびフランジ３２６は、モジュールを所定の位置に保持するためにＰＶモジュールのフレームの上部または側部に取り付く働きをする。典型的な実施形態において、接地片３３０は、ブラケット部品３１３ａ、３１３ｂの上部メンバ３１４ａ、３１４ｂの一つに隣接して配置される。典型的な実施形態において、接地片３３０は、第２のブラケット部品３１３ｂの上部メンバ３１４ｂの端部３２０に取り付けられる。より具体的には、接地片３３０は、上部メンバ３１４ｂがクランプ３２２ｂに取り付ける端部３２０に配置され得る。
【００６９】
典型的な実施形態において、取り付けブラケットアセンブリ３１０はさらに、上部メンバ３１４ａ、上部メンバ３１４ｂを貫通しているねじ付き棒３３２を備え、第１のクランプ３２２ａを貫通し、第１の上部メンバ３１４ａおよび第２の上部メンバ３１４ｂに平行にその上を通り、第２のクランプ３２２ｂを貫通する。クランプナット３３６とともに、棒３３２は、クランプと取り付けブラケットの上部メンバとをともに保持する働きをする。加えて、間隙３２７の上を通るねじ付き棒３３２の部位は、上部メンバ３１４ａ、上部メンバ３１４ｂに平行な方向および間隙３２７を横切る場所に起因して、八角形リング３４４の上部となってもよい。典型的な実施形態において、ボルトヘッド３４３は、本明細書に記載されているように、上部メンバ３１４ａの第１の端３１８でクランプ３２２ａ、クランプ３２２ｂの合わせ角度に適合するようにねじ付き棒３３２を回転することができるように設計され、または回転され得ないように形成されてもよい。クランプナット３３６は、取り付けブラケットアセンブリ３１０をトーションビームに固定し、ＰＶモジュールのような発電装置の取り付けおよび接地を容易にする。
【００７０】
典型的な実施形態は好適には、取り付けブラケットアセンブリの特定の構成部品の角度を調整することで、発電装置と取り付けシステムのクランプ力を適合するための構造を提供する。図６、図７、図２４Ａ、図２４Ｂ、図２５Ａ、図２５Ｂおよび図２６Ｂで最もよく示されているように、クランプ２２、１２２、２２２、３２２は、角度を持った合わせ面３８、１３８、２３８、３３８を有してもよく、上部メンバ１４、１１４ａ、１１４ｂ、２１４ａ、２１４ｂ、３１４ａ、３１４ｂの第１の端１８、１１８、２１８、３１８、および第２の端２０、１２０、２２０、３２０は、対応する角度を持った面４０、１４０、２４０、３４０をそれぞれ有してもよい。したがって、クランプ２２ａ、１２２ａ、２２２ａ、３２２ａは、角度を持った合わせ面３８、１３８、２３８、３３８が、上部メンバ１４、１１４ａ、２１４ａ、３１４ａの第１の端部１８、１１８、２１８、３２０の対応する角度を持った合わせ面４０、１４０、２４０、３４０に隣接するように、上部メンバ１４、１１４ａ、２１４ａ、３１４ａの第１の端１８、１１８、２１８、３１８と一致する。同様に、クランプ２２ｂ、１２２ｂ、２２２ｂ、３２２ｂは、角度を持った合わせ面３８、１３８、２３８、３３８が、上部メンバ１４、１１４ｂ、２１４ｂ、３１４ｂの第２の端２０、１２０、２２０、３２０の対応する角度を持った合わせ面４０、１４０、２４０、３４０に隣接するように、上部メンバ１４、１１４ｂ、２１４ｂ、３１４ｂの第２の端２０、１２０、２２０、３２０と一致する。
【００７１】
図１３Ａ、図１３Ｂで示されているように、クランプ２２ａと上部メンバ１４の第１の端１８のどちらかの形成された合わせ角度６０、またはクランプ２２ｂと上部メンバ１４の第２の端２０の形成された合わせ角度６０を変えると、ビーム挿入開口部２８を貫通しているトーションビーム３での取り付けブラケットアセンブリ１０のグリップ力が変化する。また、クランプ２２ａと上部メンバ１４の第１の端１８のどちらかの形成された合わせ角度６０、またはクランプ２２ｂと上部メンバ１４の第２の端２０の形成された合わせ角度６０を変えると、発電装置５での取り付けブラケットアセンブリ１０のクランプ力が変化する。好適には、角度を変更するこの機能は、発電装置（例えば、ＰＶモジュール）、および取り付けシステム構造でのクランプ力の調整を可能にし、トーションビームは別々に、一つの締結部品のみ使用させる。同様の原理、機能、および効果は、図２４Ａから図２４Ｅ、図２５Ａから図２５Ｃ、図２６Ａから図２６Ｆで説明された実施形態に適用されることに留意すべきである。
【００７２】
好適には、典型的な実施形態は、ＰＶモジュール５に加えられている下向きのクランプ力５６とトーションビーム３に加えられているグリップ力５８の分離を容易にする。これは、各クランプ２２ａ、２２ｂのアーム２４に物理的な止め具で締めさせることによって達成され、ねじ付き棒３２の力の残りをトーションビームでのグリップ力５８につぎ込まれることになる。物理的な止め具を追加することで、クランプフランジ２６はまた、図１４で示されているような、ばね構造機能４８を組み込んでもよく、これは、もしモジュールフレームの、または温度変動中の厚みの変化があったとしても、絶えず保持するためにＰＶモジュール５に下向きのクランプ力５６を作用させる。
【００７３】
図１６を参照すると、典型的な実施形態は、設計上、電線の経路を含んでもよく、クランプ２２を通じて一体電線管理機能を提供する。より具体的には、取り付けブラケットアセンブリ１０の取り付けブラケット１２は、本体の適切な場所で付加的電線開口部５０を含むように設計され得る。典型的な実施形態は、取り付けブラケット１２の角に電線開口部５０を有する。このようにして、電力系統若しくは送電網を利用しない電気機器、および／または電流変換用インバータへの送電用の電線６２は、好都合に太陽エネルギシステム中に張り巡らされており、クランプ２２の移動によってある程度管理され得る。任意選択的に、グロメット６４は、電線の損傷や摩耗を減らすために設けられ得る。
【００７４】
稼働中、取り付けブラケットアセンブリ１０、１１０、２０１、３１０は、アセンブリの本体１２に形成されたトーションビーム３がビーム挿入開口部２８を貫通するようなソーラ取り付けシステム１のトーションビーム３に連結されている。この連結は、トーションビーム３をビーム挿入開口部２８に通してスライドすることで、または間隙４２がビーム挿入開口部２８のリング４４に形成されるように取り付けブラケットアセンブリの本体１２を開き、間隙４２を通じてトーションビーム３を開口部２８に押し込むことで達成され得る。典型的な実施形態において、接地ブロック３０はそして、第１の上部メンバ１４ａと第２の上部メンバ１４ｂと間に挿入される。
【００７５】
一つ以上のクランプ２２は、全上部メンバ１２の一方または両方の端１８、端２０に取り付けられ、特に、第１のクランプ２２ａは、上部メンバ１２の第１の端１８に取り付けられ、第２のクランプ２２ｂは、上部メンバ１２の第２の端２０に取り付けられる。そして、ねじ付き棒３２は、第１のクランプ２２ａ、第１の上部メンバ１２ａ、接地ブロック３０、第２の上部メンバ１２ｂ、および第２のクランプ２２ｂを通じて挿入され、クランプナット３６で固定される。一つ以上のＰＶモジュール５は、取り付けラック４に取り付けられ、クランプ２２ａ、クランプ２２ｂのアーム２４およびフランジ２６は、ＰＶモジュールを所定の位置に保持するためにＰＶモジュールの上部または側部に取り付けられる。
【００７６】
アセンブリされたＰＶ取り付けシステム１が取り付けブラケットアセンブリ１０を使用することで、システムはさらに、固定され得、ＰＶモジュール５は、上部メンバ１２を貫通しているねじ付き棒３２にクランプナット３６を締めることで接地され得る。より具体的には、クランプナット３６は、棒３２の内側へ回転され、取り付けブラケットアセンブリ１０を締め付ける。クランプナット３６の回転は、第１のクランプ２２ａを第１の上部メンバ１２ａに押し込み、第２の上部メンバ１２ｂと第２のクランプ２２ｂを圧迫する。この圧迫は、発電装置およびトーションビームに接触または突き刺すことを通じて発電装置を固定し、接地するように接地ブロック３０を動かす。好適には、製造業者は、全取り付けブラケットアセンブリ１０を圧迫する（同時にＰＶモジュール５を接地し、取り付ける）ために、ただ一つのステップ−クランプナット３６の回転−のみを必要とし得る。クランプナット３６は、接地ブロック３０が発電装置を固定し、接地するとき、および／または要求トルクに達したとき、取り外れてもよい。記載されているように一旦アセンブリされ、締め付けられると、取り付けブラケットアセンブリ１０の形状および／または摩擦が、回転を防ぐ。
【００７７】
図１３Ａおよび図１３Ｂを参照すると、製造業者は、必要に応じて取り付けブラケットアセンブリの特定の構成部品の角度を変更することで、一つ以上のＰＶモジュールでのクランプ力５６および／または取り付けシステムでのグリップ力５８を調整し得る。より具体的には、製造業者は、上部メンバ１４ａの第１の端１８でのクランプ２２ａの合わせ角度６０、および／または上部メンバ１４ｂの第２の端２０でのクランプ２２ｂの合わせ角度６０を変更してもよい。製造業者は、クランプ２２ｂでのクランプボルト４６を緩める若しくは締め付けることで、またはクランプ２２ａでのクランプナット３６を緩める若しくは締め付けることでクランプ力を変更し得る。これらの調整によって、製造業者は、ビーム挿入開口部２８を貫通しているトーションビーム３での取り付けブラケットアセンブリ１０のグリップ力５８、および／または一つ以上の太陽光発電モジュール５での取り付けブラケットアセンブリ１０のクランプ力５６を変更し得る。好適には、角度を変更するこの機能は、発電装置（例えば、ＰＶモジュール）、および取り付けシステム構造でのクランプ力の調整を可能にし、トーションビームは別々に、一つの締結部品のみ使用させる。ＰＶモジュールフレームは、自己を中心とし、固定する構造を有してもよい。
【００７８】
このようにして、改善された取り付けブラケットアセンブリおよび関連方法は、提供される。任意の前述の構成および特定構成部品は、上記実施形態の任意の装置またはシステムで互いに交換可能に使用され得ることを理解されたい。具体的実施形態が本明細書で上述されているが、本開示の範囲から逸脱することなく、様々な変更および改良がされ得ることは当業者には明らかである。本開示の真の趣旨および範囲内に該当する全てのそのような変更および改良は、添付の特許請求の範囲において保護する対象となる。
【図１】
2019513204.tif 000003
【図２】
2019513204.tif 000004
【図３】
2019513204.tif 000005
【図４Ａ】
2019513204.tif 000006
【図４Ｂ】
2019513204.tif 000007
【図４Ｃ】
2019513204.tif 000008
【図５Ａ】
2019513204.tif 000009
【図５Ｂ】
2019513204.tif 000010
【図５Ｃ】
2019513204.tif 000011
【図６】
2019513204.tif 000012
【図７】
2019513204.tif 000013
【図８】
2019513204.tif 000014
【図９Ａ】
2019513204.tif 000015
【図９Ｂ】
2019513204.tif 000016
【図９Ｃ】
2019513204.tif 000017
【図１０】
2019513204.tif 000018
【図１１Ａ】
2019513204.tif 000019
【図１１Ｂ】
2019513204.tif 000020
【図１１Ｃ】
2019513204.tif 000021
【図１１Ｄ】
2019513204.tif 000022
【図１２】
2019513204.tif 000023
【図１３Ａ】
2019513204.tif 000024
【図１３Ｂ】
2019513204.tif 000025
【図１４】
2019513204.tif 000026
【図１５】
2019513204.tif 000027
【図１６】
2019513204.tif 000028
【図１７】
2019513204.tif 000029
【図１８】
2019513204.tif 000030
【図１９】
2019513204.tif 000031
【図２０Ａ】
2019513204.tif 000032
【図２０Ｂ】
2019513204.tif 000033
【図２１Ａ】
2019513204.tif 000034
【図２１Ｂ】
2019513204.tif 000035
【図２２】
2019513204.tif 000036
【図２３Ａ】
2019513204.tif 000037
【図２３Ｂ】
2019513204.tif 000038
【図２４Ａ】
2019513204.tif 000039
【図２４Ｂ】
2019513204.tif 000040
【図２４Ｃ】
2019513204.tif 000041
【図２４Ｄ】
2019513204.tif 000042
【図２４Ｅ】
2019513204.tif 000043
【図２４Ｆ】
2019513204.tif 000044
【図２４Ｇ】
2019513204.tif 000045
【図２５Ａ】
2019513204.tif 000046
【図２５Ｂ】
2019513204.tif 000047
【図２５Ｃ】
2019513204.tif 000048
【図２５Ｄ】
2019513204.tif 000049
【図２６Ａ】
2019513204.tif 000050
【図２６Ｂ】
2019513204.tif 000051
【図２６Ｃ】
2019513204.tif 000052
【図２６Ｄ】
2019513204.tif 000053
【図２６Ｅ】
2019513204.tif 000054
【図２６Ｆ】
2019513204.tif 000055
【図２７】
2019513204.tif 000056
【図２８】
2019513204.tif 000057
【国際調査報告】
2019513204.tif 000058
2019513204.tif 000059
2019513204.tif 000060